(57)【要約】【課題】例えばカスタマーエンジニアのサービスマンのパーソナルコンピュータをＬＡＮ等のネットワークに接続するときに、その保守作業を簡略化できるネットワーク端末装置を提供する。【解決手段】インターネットファクシミリ装置２０はＬＡＮ３０に接続されるネットワーク端末装置であり、通常モードと保守モードのネットワーク接続情報を含むネットワーク動作モード設定テーブルを記憶するコンパクトフラッシュ８を備え、ここで、ネットワーク接続情報は、図４にその一例を示すように、ＤＨＣＰの使用の有無、ＩＰアドレス、サブネットマスク、ゲートウエイなどを含む。インターネットファクシミリ装置２０においては、図４に示すネットワーク動作モード設定画面において、操作者は、最上行における通常モードと保守モードの切り換えボタンを用いてこれらのモードのいずれか１つを選択的に設定する。【選択図】　図１
2004046418.tif 000002
【特許請求の範囲】
【請求項１】
ネットワークに接続されるネットワーク端末装置において、複数組のネットワーク接続情報を記憶する記憶手段と、上記記憶された複数組のネットワーク接続情報のうちのいずれか一組を選択的に設定する設定手段とを備えたことを特徴とするネットワーク端末装置。
【請求項２】
上記ネットワーク接続情報は、保守用接続情報を含むことを特徴とする請求項１記載のネットワーク端末装置。
【発明の詳細な説明】
【０００１】
【発明の属する技術分野】
本発明は、例えばＬＡＮなどのネットワークに接続されるネットワーク端末装置に関する。
【０００２】
【従来の技術】
従来、ＬＡＮ等のネットワークには、クライアントパーソナルコンピュータ、インターネット、サーバ装置、インターネットファクシミリ装置など、複数のネットワーク端末装置が接続され、各ネットワーク端末装置には、ＩＰアドレス等、ネットワーク端末装置に固有の設定情報が登録されている。
【０００３】
【発明が解決しようとする課題】
しかしながら、保守作業のために、カスタマーエンジニアのサービスマンの保守用パーソナルコンピュータをネットワーク端末装置に接続し、もしくは、ネットワーク端末装置が接続されたＬＡＮに接続するためにはそれぞれ、ネットワーク端末装置又は保守用パーソナルコンピュータの設定情報を変更し、さらに、作業後には設定情報を復旧する必要があるという問題点があった。
【０００４】
本発明の目的は以上の問題点を解決し、例えばカスタマーエンジニアのサービスマンのパーソナルコンピュータをＬＡＮ等のネットワークに接続するときに、その保守作業を簡略化できるネットワーク端末装置を提供することにある。
【０００５】
【課題を解決するための手段】
本発明に係るネットワーク端末装置は、ネットワークに接続されるネットワーク端末装置において、複数組のネットワーク接続情報を記憶する記憶手段と、上記記憶された複数組のネットワーク接続情報のうちのいずれか一組を選択的に設定する設定手段とを備えたことを特徴とする。
【０００６】
上記ネットワーク端末装置において、上記ネットワーク接続情報は、好ましくは、保守用接続情報を含むことを特徴とする。
【０００７】
【発明の実施の形態】
以下、図面を参照して本発明に係る実施形態について説明する。
【０００８】
＜実施形態＞
図１は、本発明に係る実施形態である、通常モードにおいてインターネットファクシミリ装置２０が接続されたＬＡＮ３０を含む全体の通信システムを示すブロック図である。インターネットファクシミリ装置２０はＬＡＮ３０に接続されるネットワーク端末装置であり、通常モードにおいては図１に示すごとくＬＡＮ３０に接続される一方、保守モードにおいては図２又は図３に示すごとく保守用パーソナルコンピュータ７０を接続してインターネットファクシミリ装置２０の保守を行う。ここで、インターネットファクシミリ装置２０は、通常モードと保守モードのネットワーク接続情報を含むネットワーク動作モード設定テーブル８ａを記憶するコンパクトフラッシュ（登録商標）８を備え、ここで、ネットワーク接続情報は、図４にその一例を示すように、通常モードと保守モードのそれぞれに対して、ＤＨＣＰの使用の有無、ＩＰアドレス、サブネットマスク、ゲートウエイなどを含む。インターネットファクシミリ装置２０においては、ユーザーが、図１の通常モードの環境であるか、もしくは図２又は図３の保守モードの環境であるかに応じて、図４に示すネットワーク動作モード設定画面において、操作者は最上行における通常モードと保守モードの切り換えボタンを用いてこれらのモードのいずれか１つを選択的に設定して利用することができる。
【０００９】
図１において、インターネットファクシミリ装置２０は、従来のＧ３方式等のファクシミリ通信機能を備えるとともに、インターネット４０を介して電子メールを利用して画像データを送受信するインターネットファクシミリ機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置などからファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００１０】
操作部５は、当該インターネットファクシミリ装置２０を操作するために必要な文字キー、ダイヤル用テンキー、短縮ダイヤルキー、ワンタッチダイヤルキー、及び各種のファンクションキー、マウス等を備える。なお、上述の表示部４をタッチパネル方式とすることにより、この操作部５の各種キーの内の一部又は全部を代用するように構成してもよい。
【００１１】
ＲＯＭ６は、当該インターネットファクシミリ装置２０の動作に必要であって主制御部１によって実行される種々のソフトウェアのプログラムを予め格納する。これらのプログラムは、例えば、フロッピーディスク、ＭＯ、ＤＶＤ−ＲＡＭなどの記録媒体に記録して、必要に応じてそのドライブ装置を介してＳＲＡＭ７にロードして当該プログラムを実行してもよい。ＳＲＡＭ７は、主制御部１のワーキングエリアとして使用されてプログラムの実行時に発生する一時的なデータを記憶する。コンパクトフラッシュ（登録商標）８は、いわゆる画像メモリと、プログラム記録媒体としてのメモリとの役割を有する。また、コンパクトフラッシュ（登録商標）８は、上記ネットワーク動作モード設定テーブル８ａを記憶する。
【００１２】
ファックスモデム１０は、公衆電話回線Ｌを介して公衆電話網５０に接続され、通常のファクシミリ通信用のファックスモデムの機能を有するモデムである。ＮＣＵ（ネットワーク制御回路：Ｎｅｔｗｏｒｋ　Ｃｏｎｔｒｏｌ　Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ　Ｓｅｒｖｉｃｅ　Ｕｎｉｔ）を介して、ベースバンド伝送方式のデジタル回線（例えば、ＩＳＤＮ回線）に接続するようにしてもよい。
【００１３】
インターフェース回路１２は、当該インターネットファクシミリ装置２０を、例えばイーサネット（登録商標）などのＬＡＮ３０等に接続するために、信号やデータの信号変換やプロトコル変換を行うインターフェース回路であり、ＬＡＮ３０には電子メールサーバ装置３１、ルータ装置３２、及びクライアントパーソナルコンピュータ６０−１，６０−２が接続される。
【００１４】
さらに、ルータ装置３２はインターネット４０を介して相手先の電子メールサーバ装置（図示せず。）に接続される。当該インターネットファクシミリ装置２０から画像データを添付ファイルとして添付してメール送信するときは、ＬＡＮインターフェース１２からＬＡＮ３０を介して一旦電子メールサーバ装置３１に送信した後、電子メールサーバ装置３１が当該インターネットメールを、ＬＡＮ３０、ルータ装置３２、インターネット４０、及び相手先の電子メールサーバ装置（図示せず。）を介して送信先のファクシミリ装置にメール送信する。一方、インターネットメールを受信するときは、上記の逆の経路で受信する。ここで、電子メールサーバ装置３１からインターネットネットメールを受信する方法は、ＰＯＰ３を用いてもよいし、ＳＭＴＰにより受信してもよい。なお、インターネット４０への回線接続は、専用回線などに限らず、公衆電話回線Ｌを用いたダイヤルアップ接続でもよい。
【００１５】
以上のように構成された本実施形態のインターネットファクシミリ装置２０は、通常のＧ３方式等のファクシミリ通信機能に加えて、インターネットファクシミリ通信機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。
【００１６】
一方、保守モードの環境においては、図２の第１の実施例に示すように、インターネットファクシミリ装置２０をそのインターフェース回路１２からＬＡＮ用ストレートケーブル８１を介してＬＡＮ用ハブ装置８０に接続し、保守用パーソナルコンピュータ７０をＬＡＮ用ストレートケーブル８２を介してＬＡＮ用ハブ装置８０に接続し、これにより、保守モードにおける一時的なＬＡＮ環境を構築する。もしくは、図３の第２の実施例に示すように、インターネットファクシミリ装置２０をそのインターフェース回路１２からＬＡＮ用クロスケーブル８３を介して保守用パーソナルコンピュータ７０に接続し、これにより、保守モードにおける一時的なＬＡＮ環境を構築する。この一時的なＬＡＮ環境においては、インターネットファクシミリ装置２０におけるＩＰアドレスなどネットワーク動作モードの設定情報を変更する必要が生じる。この変更を容易にする方法及び装置について以下に詳細説明する。
【００１７】
図４は、図１のコンパクトフラッシュ（登録商標）８ａに格納されるネットワーク動作モード設定テーブル８ａの一例を示す、ネットワーク動作モード設定画面の正面図である。図４に示すように、当該設定画面においては、最上行に、通常モードと保守モードとを選択的にマウスを用いて切り換えるためのモード切り換えボタン５１が配置され、その下に、ネットワーク動作モード設定テーブル８ａに設定されたデータが表示され、最下行には、上記ネットワーク動作モード設定テーブル８ａ内のデータを選定するための設定ボタン５２が配置されている。
【００１８】
ここで、ネットワーク動作モード設定テーブル８ａは、通常モードと保守モードのそれぞれに対して、ＤＨＣＰの使用の有無、ＩＰアドレス、サブネットマスク、ゲートウエイの情報を含み、これらの情報は操作部５により入力、追加、訂正が可能であり、モード切り換えボタン５１を用いてワンタッチで通常モードと保守モードのネットワーク接続情報を選択的に切り換えることができる。すなわち、インターネットファクシミリ装置２０において予め通常モードと保守モードのそれぞれにおけるネットワーク動作モード設定テーブル８ａにおける情報を入力しておき、図１の通常モードの環境ではモード切り換えボタン５１を通常モードにする一方、図２又は図３の保守モードの環境では、モード切り換えボタン５１を保守モードに選択的に切り換える。従って、従来のように、各ネットワーク接続情報を入力し直す必要がないという特有の作用効果を有する。以上の機能を、ネットワーク動作モード設定切り換え機能という。
【００１９】
上記ネットワーク動作モード設定切り換え機能を備えることにより、例えば、図２又は図３のごとく、インターネットファクシミリ装置２０に保守用パーソナルコンピュータ７０を接続して一時的なＬＡＮ環境を構築した場合に、インターネットファクシミリ装置２０において、データの読み出し、書き込み、プログラムのバージョンアップ、動作テストなどでインターネットファクシミリ装置２０の保守作業を実行するときに、これらのための保守作業を大幅に簡単化できる。すなわち、ネットワーク接続情報を変更する必要があるときに、インターネットファクシミリ装置２０側のネットワーク接続情報を逐一変更する必要がなく、保守作業時の効率が良くなる。
【００２０】
なお、クライアントパーソナルコンピュータ６０−１，６０−２に上記ネットワーク動作モード設定切り換え機能を備えてもよい。
【００２１】
以上説明したように、ネットワークに接続する機能を備えた装置においてネットワーク経由でメンテナンスなどを行えるものがあるが、通常はこれらの装置には設定された環境に適合したＩＰアドレス等が設定されている場合があり、サービスマンがメンテナンスを行う場合に、サービスマンのメンテナンス用のパーソナルコンピュータを装置が接続されているネットワーク環境に合わせてネットワーク設定を変更する必要があった。あるいは、ＬＡＮのクロスケーブル等で装置とパーソナルコンピュータを直結してもどちらかのネットワーク設定を変更する必要がある。さらに、メンテナンスが終了したら変更した装置あるいはパーソナルコンピュータを元の設定に戻す必要があり手間がかかった。そこで、装置において保守モードを設け、オペレーション設定により保守モードに移行すると、現在の設定を保存したまま、デフォルトのネットワーク設定に切り替えられるようにしている。こうしておけば、サービスマンのメンテナンス用のパーソナルコンピュータにはデフォルトのＩＰアドレスの体系に合わせて固定で設定しておけるし、装置側も、メンテナンスが終了後にはもとに切り替えるだけでよく、再設定する必要がなくなる。あるいは、装置において保守モードに移行すると、現在の設定を保存したまま、任意にネットワーク設定を変更できるようにする。こうしておけば、サービスマンのメンテナンス用のパーソナルコンピュータに合わせて装置を変更すればよく、メンテナンスが終了後にはもとに切り替えるだけでよい。あるいは、メンテナンス用のパーソナルコンピュータにＤＨＣＰサーバ機能などが入っている場合には、装置を保守モードではＤＨＣＰ機能を使用するようにしておくこともできる。こうすることで、パーソナルコンピュータと装置はクロスケーブルあるいは小さなハブで接続すればよく、装置あるいはパーソナルコンピュータのネットワーク設定を変更せずに簡単にメンテナンスを行うことができる。
【００２２】
＜変形例＞
図５は、本発明に係る変形例である、保守モードにおいてインターネットファクシミリ装置２０及び保守用パーソナルコンピュータ７０が接続されたＬＡＮ３０を含む全体の通信システムを示すブロック図である。この変形例では、図１の通常モードの環境に対して、保守用パーソナルコンピュータ７０をＬＡＮ３０に接続した図５の保守モードの環境を構築する。図５において、保守用パーソナルコンピュータ７０はその記憶装置において、ネットワーク動作モード設定テーブル８ａと同様のネットワーク動作モード設定テーブル７０ａを備え、保守用パーソナルコンピュータ７０において上記ネットワーク動作モード設定切り換え機能を備える。これにより、ＬＡＮ３０に保守用パーソナルコンピュータ７０を接続したとき、ＬＡＮ３０の環境に合わせて、保守用パーソナルコンピュータ７０を通常モードから保守モードに切り換えて例えばインターネットファクシミリ装置２０の保守作業を行う。すなわち、この変形例では、インターネットファクシミリ装置２０のネットワーク情報の設定を変更せずに、保守用パーソナルコンピュータ７０のネットワーク情報の設定を変更することにより、保守用パーソナルコンピュータ７０を用いてインターネットファクシミリ装置２０の保守作業を実施する。この変形例においても、インターネットファクシミリ装置２０において、データの読み出し、書き込み、プログラムのバージョンアップ、動作テストなどでインターネットファクシミリ装置２０の保守作業を実行するときに、これらのための保守作業を大幅に簡単化でき、すなわち、ネットワーク接続情報を変更する必要があるときに、保守用パーソナルコンピュータ７０側のネットワーク接続情報を逐一変更する必要がなく、保守作業時の効率が良くなる。
【００２３】
＜他の変形例＞
以上の実施形態においては、インターネットファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００２４】
以上の実施形態においては、ネットワーク動作モード設定テーブル８ａを設定するためのネットワークとしてＬＡＮ３０を例示しているが、本発明はこれに限らず、ＷＡＮやインターネット、回線交換網のためのダイヤルアップの接続設定など他のネットワークであってもよい。
【００２５】
【発明の効果】
以上詳述したように本発明に係るネットワーク端末装置によれば、ネットワークに接続されるネットワーク端末装置において、複数組のネットワーク接続情報を記憶する記憶手段と、上記記憶された複数組のネットワーク接続情報のうちのいずれか一組を選択的に設定する設定手段とを備える。ここで、上記ネットワーク端末装置において、上記ネットワーク接続情報は、好ましくは、保守用接続情報を含む。従って、例えば、保守用ネットワーク端末装置をネットワークに接続した場合に、他のネットワーク端末装置において、データの読み出し、書き込み、プログラムのバージョンアップ、動作テストなどでネットワーク端末装置の保守作業を実行するときに、ネットワーク接続情報の変更設定を簡単にできるので、これらのための保守作業を簡単化できる。すなわち、ネットワーク接続情報を変更する必要があるときに、逐一ネットワーク接続情報を変更する必要がなく、保守作業時の効率が良くなる。
【図面の簡単な説明】
【図１】本発明に係る実施形態である、通常モードにおいてインターネットファクシミリ装置２０が接続されたＬＡＮ３０を含む全体の通信システムを示すブロック図である。
【図２】図１のインターネットファクシミリ装置２０を保守するときに保守用パーソナルコンピュータ７０を接続するときの保守モードの第１の実施例を示すブロック図である。
【図３】図１のインターネットファクシミリ装置２０を保守するときに保守用パーソナルコンピュータ７０を接続するときの保守モードの第２の実施例を示すブロック図である。
【図４】図１のコンパクトフラッシュ（登録商標）８ａに格納されるネットワーク動作モード設定テーブル８ａの一例を示す、ネットワーク動作モード設定画面の正面図である。
【図５】本発明に係る変形例である、保守モードにおいてインターネットファクシミリ装置２０及び保守用パーソナルコンピュータ７０が接続されたＬＡＮ３０を含む全体の通信システムを示すブロック図である。
【符号の説明】
１…主制御部、
２…画像読取部、
３…画像記録部、
４…表示部、
５…操作部、
６…ＲＯＭ、
７…ＲＡＭ、
８…コンパクトフラッシュ（登録商標）、
８ａ…ネットワーク動作モード設定テーブル、
１０…ファックスモデム、
１１…ＮＣＵ、
１２…インターフェース回路、
１３…バス、
２０…インターネットファクシミリ装置、
３０…ＬＡＮ、
３１…電子メールサーバ装置、
３２…ルータ装置、
４０…インターネット、
５０…公衆電話網、
５１…モード切り換えボタン、
５２…設定ボタン、
６０−１，６０−２…クライアントパーソナルコンピュータ、
７０…保守用パーソナルコンピュータ、
７０ａ…ネットワーク動作モード設定テーブル、
８０…ＬＡＮ用ハブ装置、
８１，８２…ＬＡＮ用ストレートケーブル、
８３…ＬＡＮ用クロスケーブル、
Ｌ…公衆電話回線。
【図１】
2004046418.tif 000003
【図２】
2004046418.tif 000004
【図３】
2004046418.tif 000005
【図４】
2004046418.tif 000006
【図５】
2004046418.tif 000007